(57)【要約】【課題】改修の目的や断熱・音鳴り抑制機能付与の目的で、下葺屋根の上に上葺屋根を取り付けるため金具において、下葺屋根を固定しているボルト部分に対しての固定が高強度で安定して行えるようにする。【解決手段】上向きの剣先ボルト２５と固定具２６とによって取り付けられた下葺屋根２１の上に固定され、上部に設けられた剣先ボルト４５で上葺屋根を取り付ける屋根板取り付け金具１１であって、下葺屋根２１の頂面２１ａに接地する一対の接地片５６，５６を備えるとともに、これら接地片５６，５６の対向縁に、接地片５６，５６板同士を近接させたときに固定具２６における外周に張り出す鍔状部２６ｄの下に入り込んで、鍔状部２６ｄの下に備えられたパッキン２６ｃ部分を締め付ける湾状の挟持縁５６ａが形成された屋根板取り付け金具１１。【選択図】図２
2009156019.tif 000002
【特許請求の範囲】
【請求項１】
上向きのボルトと該ボルトに螺合される固定具とによって取り付けられた下葺屋根の上に固定され、上部に設けられた固定手段で上葺屋根を取り付ける屋根板取り付け金具であって、
上記下葺屋根の頂面に接地する一対の接地板を備えるとともに、
これら接地板の対向縁に、接地板同士を近接させたときに上記固定具における外周に張り出す鍔状部の下に入り込んで、鍔状部の下に備えられたパッキン部分を締め付ける湾状の挟持縁が形成された
屋根板取り付け金具。
【請求項２】
前記挟持縁の両側に、挟持縁による挟持が完了したときに互いに当接する当接部が形成された
請求項１に記載の屋根板取り付け金具。
【請求項３】
前記接地板を有する本体金具に、斜め下方に向けて突出して、接地板が下葺屋根の頂面に接地したときに、頂面の両側から斜めに連続した傾斜面に沿うように接触する脚部が形成された
請求項１または請求項２に記載の屋根板取り付け金具。
【請求項４】
前記固定手段が、接地板を有する本体金具の上部に取り付けられた合成樹脂製の断熱部材に対して、本体金具とは非接触に取り付けられた
請求項１から請求項３のうちのいずれか一項に記載の屋根板取り付け金具。
【請求項５】
前記固定手段が、断熱部材内をスライド移動するスライダと、スライダに対して取り付けられた剣先ボルトとを有する
請求項４に記載の屋根板取り付け金具。
【請求項６】
前記請求項１から請求項５のうちのいずれか一項に記載の屋根板取り付け金具を用いて構成された
屋根。
【発明の詳細な説明】
【技術分野】
【０００１】
この発明は、上向きのボルトを用いて取り付けられた屋根（下葺屋根）の上に屋根（上葺屋根）を葺成するときに用いられる屋根板取り付け金具に関する。
【背景技術】
【０００２】
ボルトを用いて取り付けられた屋根の上に屋根を葺成することは、改修の目的や機能（断熱や音鳴り抑制）付与の目的で行われている。
【０００３】
改修の目的で使用される屋根板取り付け金具としては、たとえば下記特許文献１に記載のクランプ金具があった。
【０００４】
このクランプ金具は、下葺屋根を取り付けているボルトに取り付ける金具であり、断面箱状で、上部を上葺屋根材の山部に沿う断面形状にするとともに底面部を下葺屋根の山部に沿う断面形状に形成し、この底面部には、端縁に開口する切欠きを有し、この切欠きの長さ方向の中間部分にボルトが入る穴を有している。切欠きは端縁から穴に向けて次第に幅狭となっている。
【０００５】
このような形状のクランプ金具は、下葺屋根と、ボルトに螺合したナットの下の座金との間のパッキン部分に強制的に打ち込んで固定し、その後、クランプ金具の上面に対してドリルタッピングネジを用いて上葺屋根を直接取り付ける。
【０００６】
しかし、特許文献１のクランプ金具を用いた場合には、クランプ金具を下葺屋根の面方向に沿って叩き込んで固定を行うので、老朽化している下葺屋根やボルト、パッキンを損傷してしまうなどの問題点があった。  
このため、下記特許文献２、３に記載の金具が案出された。
【０００７】
特許文献２に記載の金具は、下葺屋根を固定しているボルトに嵌合してこれをつかむようにして固定する構成の屋根改修用クランプ具である。このクランプ金具では、ボルトに嵌合するために割り溝を有する筒状のクランプ具を設けるほかに、このクランプ具の嵌合状態を保持するために締め付けるナットも必要であり、製作にコストの掛かるものであった。
【０００８】
特許文献３に記載の金具は、下葺屋根を固定しているボルトに対してこれを挟むように固定するクリップと、正面視山形に形成されて上部の内側に上記のクリップを保持する台座とを有するものであり、台座の両下端には下葺屋根の上に安定する足部が形成されている。上葺屋根の取り付けは、台座にドリルタッピングネジを螺合して行う。
【０００９】
特許文献３に記載の金具は、特許文献２の金具と異なり、ボルトをつかむようにして固定するだけではなく、足部が荷重を支えるので、特許文献２の金具に比して荷重に強い固定が可能である。
【特許文献１】特許２９０７４２２号公報
【特許文献２】特開２００１−２７９８７６号公報
【特許文献３】特開２００１−２７９８７４号公報
【発明の開示】
【発明が解決しようとする課題】
【００１０】
しかし、下葺屋根を固定しているボルトは、改修せねばならない既設折板と同様に老朽化し、錆びている。つまり、芯部位やナットより下の部分は強度を有するものの、屋根の上に出ているねじ山はボロボロの状態であり、その程度も様々である。このため、特許文献２の金具のように内周面にねじ山を有するクランプ具を嵌合して外側からナットで締め付けても締め付けが利かず、ボルト部分で強固な固定状態を得られない場合がある。特許文献３の金具のようにクリップを用いた場合も同様である。
【００１１】
したがって、特許文献２や３の金具の如くボルトをつかむようにして固定しても、安定した固定強度は期待できない。
【００１２】
また、たとえ新設の屋根を葺成する場合でボルトが新品であっても、ボルトをつかむようにして固定するだけのものでは、下葺屋根との接触面積が小さく、正圧や負圧によってボルトに掛かる負荷は大きい。
【００１３】
さらに、中小型の建物で好適に使用されている、いわゆる「８８（ハチハチ）」と称される折板（以下、「８８折板」という。）などは剣先ボルトによって取り付けられるが、この８８折板を用いて機能性屋根、すなわち断熱や音鳴り抑制が可能な屋根を葺成する金具はこれまでなかった。これは、８８折板の高さが８８ｍｍであるため、上述のように安定した固定状態を、下葺屋根に近い部分においてコンパクトに得られなかったからであると考えられる。
【００１４】
そこで、この発明は、固定に際して下葺屋根やボルトなどを損傷したりすることがなく、容易に固定できる上に、固定時の安定性や強度が良好であり、断熱や音鳴り抑制の機能を付加することもできるような屋根板取り付け金具の提供を目的とする。
【課題を解決するための手段】
【００１５】
そのための手段は、上向きのボルトと該ボルトに螺合される固定具とによって取り付けられた下葺屋根の上に固定され、上部に設けられた固定手段で上葺屋根を取り付ける屋根板取り付け金具であって、上記下葺屋根の頂面に接地する一対の接地板を備えるとともに、これら接地板の対向縁に、接地板同士を近接させたときに上記固定具における外周に張り出す鍔状部の下に入り込んで、鍔状部の下に備えられたパッキン部分を締め付ける湾状の挟持縁が形成された屋根板取り付け金具である。なお、上記頂面とは、下葺屋根における上端部分の面積を有する部分のことを意味し、平面であるか否かは問わない。また頂面は、形状によっては外観上区分できる場合も明確に区分できない場合もある。
【００１６】
接地板が下葺屋根の頂面に接触するとともに、接地板の挟持縁が、ボルトにおける老朽化していないパッキン部分を締め付けて、固定がなされる。挟持縁は、先端縁が先鋭となる形状であるとよい。特に、上面側にのみ斜面が形成される形態であるとよい。パッキン部分を不必要に圧縮して、損傷してしまうことを防止できる。
【００１７】
上記の一組の接地板は、一つの部材からなるものであるも、別の部材からなるものであるもよい。前者の場合には部品点数の低減を図れ、後者の場合には製造に当たって形態の簡素化を図れる。
【００１８】
上記の挟持縁の両側には、挟持縁による挟持が完了したときに互いに当接する当接部が形成されるとよい。当接部の当接により締めすぎを防止して、適正な固定状態を得られる。
【００１９】
上記の接地板を有する本体金具には、斜め下方に向けて突出して、接地板が下葺屋根の頂面に接地したときに、頂面の両側から斜めに連続した傾斜面に沿うように接触する脚部が形成されるもよい。接地板が下葺屋根の頂面と傾斜面に接触するので、一層の安定した固定状態を得られる。
【００２０】
さらに、上記の固定手段が、接地板を有する本体金具の上部に取り付けられた合成樹脂製の断熱部材に対して、本体金具とは非接触に取り付けられるとよい。断熱部材は本体金具の上部に挟み込むようにして容易に取りつけることができる。
【００２１】
この場合、固定手段は、断熱部材内をスライド移動するスライダと、スライダに対して取り付けられた剣先ボルトとを有するものであるとよい。
【００２２】
別の手段は、上記の屋根板取り付け金具を用いて構成された屋根である。
【発明の効果】
【００２３】
以上のように、この発明によれば、下葺屋根に対する固定は、下葺屋根の頂面部分において、強制的に打ち込んで固定するのではなく、一対の接地板を近接させて行うので、下葺屋根などを損傷することなく固定できる。しかも、固定を行う部分は、外部に露出していた部分とは異なり、錆びなどがまわった老朽化した部分ではないので、改修する場合であっても、安定した固定状態を得られる。さらに、接地板の接地とボルトに対する挟持とにより固定するので、固定状態は安定したものとなる。
【００２４】
また、上述のように下葺屋根の頂面部分の低い位置において固定がなされるので、上部に機能性を有するための構造を得ることができる。このため、断熱や音鳴り抑制の機能を付加することもできる。
【発明を実施するための最良の形態】
【００２５】
この発明を実施するための一形態を、以下図面を用いて説明する。  
図１は、屋根板取り付け金具１１（以下、「取り付け金具」という。）の斜視図であり、この取り付け金具１１は、図２に示したような折板からなる縦葺の下葺屋根２１の上に固定され、断熱と音鳴り抑制を図ることのできる屋根２２（図３参照）を葺成するために使用するものである。下葺屋根２１は、下地材２３の上に固定されたタイトフレーム２４の剣先ボルト２５と、これに螺合される固定具２６とで取り付けられる。固定具２６は、ナット２６ａと、ナット２６ａの下の座金２６ｂと、座金２６ｂの下のパッキン２６ｃとからなり、座金２６ｂの下側部分が、外周に張り出す鍔状部２６ｄである。
【００２６】
この例において、取り付け金具１１を用いて取り付ける上葺屋根２７は、下葺屋根２１と同じく縦葺の折板からなるものを示したが、その他の屋根材からなるものであるもよい。また、上記の屋根２２は、老朽化した屋根を改修して得るものであるも、すべて新たに葺成するものであるもよい。前者の場合、上記の下葺屋根２１が老朽化した既設の屋根である。
【００２７】
取り付け金具１１は、図４に示したように、上部の上部固定部材３１と、下部の本体金具５１とからなる。
【００２８】
まず、上部固定部材３１の構造について説明する。  
上部固定部材３１は、図５に示したように、合成樹脂製の断熱部材３２と、これに一体的に取り付けられる固定手段としてのスライダ４１及び剣先ボルト４５からなる。
【００２９】
断熱部材３２は、略直方体形状をなすブロック状で、左右両側面における上側位置には、本体金具５１と係合する係合溝３３が形成されている。係合溝３３は、正面側、すなわち屋根の勾配方向下側が開放され、背面側、すなわち屋根の勾配方向上側が閉塞されている。
【００３０】
この係合溝３３より上の上部３４は正面視等脚台形状に形成されている。この部分は、上葺屋根２７の山部の下側に位置する部分である。そして、この上部３４の上面から下に向けて長手方向に長い長孔３５が形成されている。この長孔３５は、上記の剣先ボルト４５が移動する孔であり、所望のスライドを実現できる長さに設定されている。
【００３１】
この長孔３５は、上部３４の上面から上下方向の中間部分まで形成される。すなわち、断熱部材３２の係合溝３３より下の下部３６における上下方向の中間部には、長手方向に貫通するスライド溝３７が形成されており、長孔３５はこのスライド溝３７まで形成される。スライド溝３７の幅寸法は、長孔３５の径よりも大きく設定されている。
【００３２】
スライド溝３７には、短冊状の金属板からなる上記のスライダ４１が保持される。スライダ４１は、スライド溝３７内をスライド移動するもので、一端４２がＬ字状に折曲されている。スライド溝３７に対して保持するには、スライダ４１を、他端４３側から挿入した後、その他端４３をＬ字状に折曲して抜け止めを図る。
【００３３】
スライダ４１の中央には、ねじ孔４４が形成され、このねじ孔４４に、剣先ボルト４５が螺合により一体化される。剣先ボルト４５は、上側部分にねじを有した剣先部４６を有し、この下に円板状の鍔部４７を有する。鍔部４７の下には、剣先部４６よりも大径でねじのない円柱部４８を有し、この下端部にスライダ４１に対する固定用の雄ねじ４９を有する。このような鍔部４７付きの剣先ボルト４５は、削り出しによって形成することもできるが、穴あきの円板状の部材を圧入して一体化することで得ることもできる。
【００３４】
断熱部材３２におけるスライド溝３７よりも下には、スライド溝３７の長さ方向と直交する左右方向に貫通した貫通孔３８が形成されている。この貫通孔３８は、本体金具５１との結合のための結合ボルト７１を挿通する部分である。
【００３５】
なお、図中３９は、左右方向に張り出すストッパであり、断熱部材３２を本体金具５１に組み付けるときに、位置規制を行う。また、下部３６の正面には左右方向に湾曲する曲面３６ａが形成されている。
【００３６】
断熱部材３２とスライダ４１及び剣先ボルト４５の関係について付言すると、スライダ４１及び剣先ボルト４５は、上葺屋根２７を固定するまでのあいだ断熱部材３２の長さ方向の中間に位置しているのが望ましい。そのための構成として、図６に示したように、長孔３５の内面における両側面に、平面視略直角三角形状をなす２個の規制突起３５ａ，３５ａが形成される。これらの規制突起３５ａは、所定位置に配した剣先ボルト４５を挟む斜めの位置に配設され、取り付け金具１１の輸送中等における不要な移動を規制する一方、上葺屋根２７が伸縮するときにかかる負荷による移動は許容する。葺成当初は剣先ボルト４５の移動が固い場合であっても、合成樹脂からなる規制突起は、磨耗などの発生により、すぐに円滑なスライドが行われるようになる。
【００３７】
このような形態や配置の規制突起３５ａのほかに他の構造を採用することもできる。たとえば規制突起は板状などであるもよい。また、図７に示したように剣先ボルト４５の鍔部４７を利用することもできる。すなわち、鍔部４７の一部に円形の規制孔４７ａをあけ、この規制孔４７ａに挿入される規制突起３４ａを断熱部材３２の上面に形成する。この場合には、取り付け金具の輸送中等における不要な移動を規制する一方、屋根が伸縮するときにかかる負荷によって規制突起３４ａが折れるように設定する。
【００３８】
つぎに、本体金具５１の構造について説明する。  
本体金具５１は、図４に示したように、左右一対の金具担体５１ａ，５１ａからなる。これら金具担体５１ａは同一形状で、上部が、上記の上部固定部材３１を保持する保持部５２であり、下部が、下葺屋根２１を固定している剣先ボルト２５と固定具２６の部分を締め付ける締め付け部５５である。
【００３９】
保持部５２は、正面視逆Ｌ字状の側面に沿う側板５３と、側板５３の上端から曲がって断熱部材３２の係合溝３３に係合する係合片５４とを有する。側板５３における断熱部材３２の貫通孔３８に対向する部位には、角孔５３ａが形成され、結合ボルト７１の挿入に備えている。図中７２は、結合ボルト７１に螺合するナットである。
【００４０】
締め付け部５５は、上記の側板５３のうちの断熱部材３２の下部３６より下に延設された部分と、側板５３の下端から上記の係合片５４と同一方向に曲がった接地板としての接地片５６と、側板５３の下部において外方に張り出す張り出し部５３ｂと、この張り出し部５３ｂの下端から斜め下方に向けて延設した脚部５７とを有する。
【００４１】
接地片５６は、下葺屋根２１の頂面２１ａに面接触する部分であり、接地片５６が頂面２１ａに接地したときに、接地片５６より上側であって断熱部材３２の下側の空間に下葺屋根２１の剣先ボルト２５と固定具２６が納まるように、側板５３の長さが設定されている。
【００４２】
また、接地片５６の長さは、各金具担体５１ａを断熱部材３２の左右両面に沿わせて結合ボルト７１で結合したときに接地片５７同士が当接し合う長さである。
【００４３】
この接地片５６の幅方向の中間部分には、直線状をなしている両側部分とは異なり、湾状に入り込む平面視略円弧状の挟持縁５６ａが形成されている。挟持縁５６ａは、上記のように接地片５６同士を近接させたときに下葺屋根２１の固定具２６における座金２６ｂの下に入り込んで、座金２６ｂの下に備えられたパッキン２６ｃを締め付ける部分である（図１０参照）。挟持縁５６ａは、上面にのみに傾斜面５６ｂを有する先鋭に形成されている。
【００４４】
挟持縁５６ａの両側は、接地片５６の長さが上述のように形成されているため、挟持縁５６ａによる挟持が完了したときに、対向する部分同士で互いに当接する当接部としての当接縁５６ｃである。このような当接縁５６ｃの存在によって締めすぎが防止できて適正な固定状態を得られる。
【００４５】
上記の脚部５７は、下葺屋根２１の頂面２１ａに載置したときに頂面２１ａの両側から斜め下に連続する傾斜面２１ｂに沿うように接触する部分であり、接地片５６の接地時の安定性の向上を図っている。
【００４６】
このように構成された取り付け金具１１では、図２に示したように、下葺屋根２１の剣先ボルト２５と固定具２６部分に対して、上から被せるようにして頂面２１ａに載置する。載置にあたって結合ボルト７１を緩めて、本体金具５１を構成する各金具担体５１ａを若干離間しておき、挟持縁５６ａを固定具２６の鍔部２６ｄの下に入り込ませる。
【００４７】
そして、結合ボルト７１を締めると、図８に示したように各金具担体５１ａ同士は相互に近接し、傾斜面５６ｂを有して先鋭となっている挟持縁５６ａがパッキン２６ｃ部分を挟持する。この挟持によって挟持縁５６ａは、座金２６ｂの鍔状部２６ｄの下に食い込む。同時に、挟持縁５６ａを有する接地片５６が、下葺屋根２１の頂面２１ａに面で接触する。さらに、脚部５７が下葺屋根２１の傾斜面２１ｂに面で接触する。
【００４８】
このため、剣先ボルト２５の基部に近い部分を中心にして多元的な固定が行え、強固な固定が実現できる。剣先ボルト２５の基部に近い部分は固定具２６によって覆われているので、下葺屋根２１が既設の屋根であって改修が必要な場合であっても老朽化はなく、固定状態は強く安定したものとなる。しかも、挟持縁５６ａは斜面５６ｂを有し、先端縁が先鋭となる形状であるので、パッキン２６ｃ部分を不必要に、また乱暴に圧縮して、損傷してしまうことを防止でき、このことによっても、強度の高い固定が可能となる。
【００４９】
また、締め付け部５５の締め付けを行う結合ボルト７１は、取り付け金具１１の中でも上側に存在するので、下葺屋根２１の山部と山部との間の狭い位置で締め付け作業を行う場合のような窮屈さはなく、締め付け作業が容易である。
【００５０】
そして、このように強固に固定された取り付け金具１１の上部の上部固定部材３１は、結合ボルト７１と係合片５４及び係合溝３３によって本体金具５１と強固に一体化している。
【００５１】
上葺屋根２７は、このような上部固定部材３１の剣先ボルト４５の剣先部４６に対して打ち込んで、固定具７７で締め付ければ取り付けが完了する（図８、図９参照）。
【００５２】
このようにして取り付けられた上葺屋根２７は、熱の作用により伸縮しようとすると、図９に示したように、剣先ボルト４５は上葺屋根２７の伸縮に伴ってその長さ方向に移動しようとする。この力をスライダ４１が受けて、断熱部材３２のスライド溝３７内での安定したスライド移動により、剣先ボルト４５を上向きの姿勢のまま移動させる。また、上葺屋根２７と接触している剣先ボルト４５は断熱部材３２によって本体金具５１との接触を断たれているので断熱効果を得ることができるとともに、上述のような剣先ボルト４５の移動によって、音鳴り抑制効果を得ることもできる。
【００５３】
また、本体金具５１が同一形状の２個の金具担体５１ａからなるので、金具担体５１ａの形状を簡素にでき、加工コストを抑えることができる。
【００５４】
以下、その他の例について説明する。この説明において、先の構成と同一又は同等の部位については同一の符号を付してその詳しい説明を省略する。
【００５５】
図１０は、本体金具５１を一枚の金属板で形成した取り付け金具１１の例である。一枚の金属板からなるので、部品点数の低減を図れる。
【００５６】
本体金具５１は、図１１、図１２に示したように、上記の上部固定部材３１を保持する保持部５２を上部に有し、この保持部５２の下に、下葺屋根２１に固定する締め付け部５５を有している。
【００５７】
保持部５２は、図１３にも示したように、断熱部材３１の下部３６が嵌合対応する間隔を隔てて配設された左右一対の側板５３，５３で構成され、側板５３の上端には、相対向する方向に曲がって断熱部材３２の係合溝３３に係合する係合片５４が形成されている。また、断熱部材３２を組み付けたときに断熱部材３２の貫通孔３８と対応する部分に角孔５３ａが形成され、結合ボルト７１の挿入に備えている。
【００５８】
締め付け部５５は、図１４にも示したように、上記の側板５３を立設する底板５８の前後方向の両端から下に延設されている。この締め付け部５５は、底板５８の左右方向の幅寸法より長く形成され、下葺屋根２１を固定している剣先ボルト２５と固定具２６を収容する空間を底板５８の下に形成する垂直片５９と、固定時に下葺屋根２１の頂面２１ａに接地する接地板としての接地片５６とを有する。垂直片５９と接地片５６は直角に折曲されており、接地片５６は底板５８と平行ではなく外側に傾いた状態、すなわち対向する接地片５６間に隙間を有するように形成されている。接地片５６の長さは、接地片５６同士を近接させたとき、つまり底板５８との間の部分で変形させて、垂直片５９を底板５８と直角にし、接地片５６を底板５８と平行にしたときに互いに当接し合う長さである。
【００５９】
また、接地片５６の両側部分であって、下葺屋根２１の頂面２１ａに載置したときに頂面２１ａの両側から斜め下に連続する傾斜面２１ｂに沿うように接触する脚部５７が、斜め下に向けて突出するように切り起こしにより形成されている（図１１参照）。
【００６０】
さらに、上記の垂直片５９の両側部分には角孔５９ａが形成され、締め付け部５５の底板５８と垂直片５９との間の部分を変形して接地片５６，５６同士を近接させる２本の締め付けボルト７５，７５を保持している。図中７６はナットである。これら締め付けボルト７５は、先端側のねじ部７５ａと基端側の非ねじ部７５ｂを有し、非ねじ部７５ｂの長さは、上記の当接縁５６ｃ，５６ｃ同士が当接したときにそれ以上の螺合を阻止する長さに設定されている。すなわち、二重に締め過ぎを防止する。
【００６１】
このように構成された取り付け金具１１では、下葺屋根２１の剣先ボルト２５と固定具２６部分に対して、上から被せるようにして頂面２１ａに載置し、下端部分の締め付け部５５の締め付けボルト７５のナット７６を締め付ける。一対の接地片５６，５６が屋根の勾配方向で対向するので、締め付けボルト７５は、取り付け金具１１のなかでは低い位置にあっても、下葺屋根２１の山部と山部との間の狭い位置で締め付け作業を行う場合のような窮屈さはなく、締め付け作業が容易である。
【００６２】
締め付けに際しては、締め付け部５５の挟持縁５６ａが固定具２６の座金２６ｂの下のパッキン２６ｃ部分に当たるようにして行う。すると、図１５に示したように、締め付けによって挟持縁５６ａ，５６ａ同士は相互に近接し、傾斜面５６ｂを有して先鋭となっている挟持縁５６ａがパッキン２６ｃ部分を挟持する。この挟持によって挟持縁５６ａは、座金２６ｂの鍔状部２６ｄの下に食い込む。同時に、挟持縁５６ａを有する接地片５６が、下葺屋根２１の頂面２１ａに面で接触する。さらに、接地片５６の下面から突設された脚部５７が下葺屋根２１の傾斜面２１ｂに面で接触する。
【００６３】
このため、上述と同様の作用効果が得られる。
【００６４】
図１６は、脚部を別部材の添付で構成した例である。  
すなわち、本体金具５１の金具担体５１ａからは、上記の張り出し部５３ｂを省略してよりシンプルな形状とし、脚部は側板５３の外側面に沿わせる補助金具６１に形成している。
【００６５】
本体金具５１は、２個の金具担体５１ａ，５１ａからなる。金具担体５１ａは、上部固定部材３１の断熱部材３２における係合溝３３に係合する係合片５４を上端に有し、この係合片５４から下に向けて側板５３を有する。側板５３は断熱部材３２の高さにかかわりなく接地片５６が設けられるべき位置までの長さである（図１７参照）。側板５３の下端からは、係合片５４と同様に相対向する方向に向けて接地片５６が延設され、接地片５６の先端からは、金具担体５１ａ，５１ａ同士が互いに近接して固定が完了したときに当接する当接片５６ｄが立設されている。
【００６６】
当接片５６ｄには、下葺屋根２１を取り付けている剣先ボルト２５と固定具２６をぬすむぬすみ５６ｅを有するとともに、接地片５６には、先の構成と同様の挟持縁５６ａが形成されている。
【００６７】
また、当接片５６ｄと側板５３における挟持縁５６ａの両側部分には、角孔５６ｆ，５３ｃが形成され、締め付けボルト７５，７５が保持されている。
【００６８】
補助金具６１は、垂直に伸びる垂直片６２と、垂直片６２の下端から斜め下に向けて延びる脚部６３とからなり、垂直片６２には、締め付けボルト７５を挿通する角孔６２ａが形成されている。脚部６３は、図１７に示したように、下葺屋根２１の傾斜面２１ｂに沿って面接触するものである。
【００６９】
なお、図１８に示したように補助金具６１を省略することもできる。脚部がなくとも、接地片５６が面接触したうえで挟持を行うので、安定した固定状態が得られる。
【００７０】
図１９は、図１に示した取り付け金具１１の金具担体５１ａにおける側板５３の下部に、２本の締め付けボルト７５を離間保持して、さらに一層の固定状態の向上を図った例である。
【００７１】
図２０は、本体金具５１の接地片５６の上方に、下葺屋根２１の剣先ボルト２５を挟持する挟持片８１を備えた取り付け金具１１の例を示す。接地片５６のほかに挟持片８１を有するので、固定状態のさらなる強化が可能である。
【００７２】
本体金具１１は、図４に示した上記の本体金具５１と同様に、同一形状をなす左右一対の金具担体５１ａからなる。金具担体５１ａは、１枚の金属板で形成されている。すなわち、下部の締め付け部５５は、図４に示した金具担体５１ａと同様に１枚の金属板からなる部分であるが、上部の保持部５２は、上端の係合片５４の先端部分で内側に折り返されて、断熱部材３２の下方位置まで二重に形成されている。そして、内側に折り返された部分の下端部は、Ｌ字形に折り曲げられ、接地片５６と平行に延びる挟持片８１が一体に形成されている。
【００７３】
図２１に示したように、挟持片８１の先端縁の幅方向の中間部には、平面視略半円弧状に欠ける挟持縁８１ａが形成され、その両側には、一対の金具担体５１ａが結合ボルト７１で締め付けられたときに互いに当接する当接縁８１ｂが形成されている。上記の挟持縁８１ａには、挟持片８１の上面側の方が縦断面形状において先鋭となるような傾斜面８１ｃが形成されている。この挟持縁８１ａの大きさは、下葺屋根２１の剣先ボルト２５を挟み込むのに必要な大きさである。
【００７４】
また、老朽化した屋根を改修する場合には一般に、剣先ボルト２５が腐食しているので、挟持縁８１ａの大きさの設定がむつかしいが、この場合には、図２２に示したように、挟持片８１の基部に、結合ボルト７１による締め付け時に挟持片８１が変形しやすくすべく、挟持片８１の背面側に隙間を形成する変形許容部８２を備えるとよい。なお、剣先ボルト２５が腐食しているとはいえ、腐食しているのはねじ山を有する外周面部分であり、芯部分は腐食することなく残っているので、締め付けによる固定は強固に行える。
【００７５】
さらに、上記のような挟持片８１は、金具担体５１ａの保持部５２側を二重に折り返さなくとも、図２３に示したようにして構成できる。すなわち、金具担体５１ａとは別体の挟持用金具８５を、金具担体５１ａの内側に沿わせて保持すればよい。挟持用金具８５は、正面視略Ｌ字形をなし、垂直に延びる垂直部８６の下端に、上記と同様の挟持片８１を有する。垂直部８６と挟持片８１の間には、図２２に示した変形許容部８２と同一の目的を有する円弧状部分からなる変形許容部８２が形成されている。
【００７６】
このように挟持片８１が形成された取り付け金具１１では、下葺屋根２１に対して固定するとき、各金具担体５１ａの接地片５６が固定具２６の下に入って締め付けを行うとともに、挟持片８１が剣先ボルト２５の固定具２６より上に突出している部分を挟持する。つまり、上下に離間した２位置において締め付けが行われるので、上からの荷重にも引張りにも強い、安定した強固な固定状態が得られる。
【００７７】
この発明の構成と上述の一形態の構成との対応において、
この発明のボルトは、上述の剣先ボルト２５に対応し、  
以下同様に、  
固定手段は、剣先ボルト４５に対応し、  
接地板は、接地片５６に対応し、  
当接部は、当接縁５６ｃ、当接片５６ｄに対応するも、  
この発明は上述の構成のみに限定されるものではなく、その他の形態を採用することもできる。
【００７８】
たとえば、上葺屋根を取り付ける固定手段が、馳締めタイプの折板を固定できるものであるもよい。  
また、上葺屋根や下葺屋根に用いられる屋根材には８８折板以外の折板等を使用することもできる。
【図面の簡単な説明】
【００７９】
【図１】屋根板取り付け金具の斜視図。
【図２】屋根板取り付け金具と下葺屋根の斜視図
【図３】屋根の断面図。
【図４】屋根板取り付け金具の分解斜視図。
【図５】上部固定部材の分解斜視図。
【図６】上部固定部材の一部断面平面図。
【図７】他の例に係る上部固定部材の正面図。
【図８】作用状態を示す一部破断正面図。
【図９】作用状態を示す断面図。
【図１０】他の例に係る屋根板取り付け金具の斜視図。
【図１１】図１０の屋根板取り付け金具の使用状態の正面図。
【図１２】図１０の屋根板取り付け金具の分解斜視図。
【図１３】図１０の屋根板取り付け金具の正面図。
【図１４】図１０の屋根板取り付け金具の右側面図。
【図１５】図１０の屋根板取り付け金具の使用状態の断面図。
【図１６】他の例に係る屋根板取り付け金具の斜視図。
【図１７】図１６の屋根板取り付け金具の使用状態の正面図。
【図１８】他の例に係る屋根板取り付け金具の分解斜視図。
【図１９】他の例に係る屋根板取り付け金具の斜視図。
【図２０】他の例に係る屋根板取り付け金具の一部破断正面図。
【図２１】図２０の金具担体の斜視図。
【図２２】他の例に係る屋根板取り付け金具の一部破断正面図。
【図２３】他の例に係る屋根板取り付け金具の一部破断正面図。
【符号の説明】
【００８０】
１１…屋根板取り付け金具
２１…下葺屋根
２１ａ…頂面
２１ｂ…傾斜面
２２…屋根
２５…剣先ボルト
２６…固定具
２６ｃ…パッキン
２６ｄ…鍔状部
２７…上葺屋根
３１…上部固定部材
３２…断熱部材
４１…スライダ
４５…剣先ボルト
５１…本体金具
５６…接地片
５６ａ…挟持縁
５６ｂ…傾斜面
５６ｃ…当接縁
５６ｄ…当接片
５７，６３…脚部
【図１】
2009156019.tif 000003
【図２】
2009156019.tif 000004
【図３】
2009156019.tif 000005
【図４】
2009156019.tif 000006
【図５】
2009156019.tif 000007
【図６】
2009156019.tif 000008
【図７】
2009156019.tif 000009
【図８】
2009156019.tif 000010
【図９】
2009156019.tif 000011
【図１０】
2009156019.tif 000012
【図１１】
2009156019.tif 000013
【図１２】
2009156019.tif 000014
【図１３】
2009156019.tif 000015
【図１４】
2009156019.tif 000016
【図１５】
2009156019.tif 000017
【図１６】
2009156019.tif 000018
【図１７】
2009156019.tif 000019
【図１８】
2009156019.tif 000020
【図１９】
2009156019.tif 000021
【図２０】
2009156019.tif 000022
【図２１】
2009156019.tif 000023
【図２２】
2009156019.tif 000024
【図２３】
2009156019.tif 000025